(57)【要約】【課題】技術の習熟を必要とせずに風呂敷の利便性を容易に得ることができる簡易バッグを提供する。【解決手段】簡易バッグは、平面状に構成された風呂敷と、風呂敷の一部を収縮させて袋状に変形させることが可能な収縮機構と、を備える。収縮機構は、風呂敷とは別部材で構成された紐材と、風呂敷に設けられて紐材の端部を風呂敷に固定する固定部と、風呂敷に設けられて紐材が通される挿通部と、を有する。【選択図】図１
2017051257.tif 000002
【特許請求の範囲】
【請求項１】
平面状に構成された風呂敷と、
前記風呂敷の一部を収縮させて袋状に変形させることが可能な収縮機構と、を備え、
前記収縮機構は、
前記風呂敷とは別部材で構成された紐材と、
前記風呂敷に設けられて前記紐材の端部を前記風呂敷に固定する固定部と、
前記風呂敷に設けられて前記紐材が通される挿通部と、を有する、
簡易バッグ。
【請求項２】
前記収縮機構は、前記風呂敷の平面に沿って設定された第１中心線に対して対称形になるように２つ設けられている、
請求項１に記載の簡易バッグ。
【請求項３】
前記挿通部は、前記第１中心線に対して直角方向に延びる第２中心線上に設けられた１つの第１挿通部と、前記第２中心線に対して対称の位置に設けられた２つの第２挿通部と、を有し、
前記固定部は、前記第２中心線に対して対称の位置に２つ設けられている、
請求項２に記載の簡易バッグ。
【請求項４】
前記紐材の両端部は２つの前記固定部にそれぞれ固定されているとともに、前記紐材の中心部は前記第１挿通部から引き出されてコードストッパーに通されている、
請求項３に記載の簡易バッグ。
【請求項５】
前記風呂敷に設けられ前記第１中心線に対して対称に配置された２つの持ち手部を更に備えている、
請求項２から４のいずれか一項に記載の簡易バッグ。
【請求項６】
前記持ち手部は、前記風呂敷を貫いて形成されている、
請求項５に記載の簡易バッグ。
【請求項７】
前記風呂敷は正方形であり、
前記固定部及び前記第２挿通部は、前記風呂敷の辺部に設けられている、
請求項３から６のいずれか一項に記載の簡易バッグ。
【請求項８】
前記風呂敷は、外側布材と内側布材との２枚の布材を重ねて構成され、
前記固定部と前記第２挿通部とは、前記風呂敷の内部に設けられ、
前記紐材は、前記第１挿通部に通されて前記風呂敷の内部から外部へ引き出されている、
請求項３から７のいずれか一項に記載の簡易バッグ。
【請求項９】
前記風呂敷の内面側に設けられた少なくとも１つの係止部と、
前記風呂敷の外面側に設けられて前記係止部を係止可能な複数の被係止部と、を更に備える、
請求項１から８のいずれか一項に記載の簡易バッグ。
【発明の詳細な説明】
【技術分野】
【０００１】
本発明の実施形態は、簡易バッグに関する。
【背景技術】
【０００２】
従来、物を包む道具として風呂敷がある。一般に風呂敷は、１枚の布で構成されているため、形状が一定である鞄等に比べて、対象物の大小や形状に合わせて変形自在に対象物を包むことができる。また、風呂敷は、軽量であり、使用しないときには畳んで小さくすることができるため、携帯性に優れる。そのため、風呂敷は、利便性に優れた道具として知られている。
しかしながら、風呂敷は、単純な構成であるが故に、その使用にはユーザの技術の習熟が必要となる。
【先行技術文献】
【特許文献】
【０００３】
【特許文献１】特開２０１１−２４９５７号公報
【発明の概要】
【発明が解決しようとする課題】
【０００４】
そこで、技術の習熟を必要とせずに風呂敷の利便性を容易に得ることができる簡易バッグを提供する。
【課題を解決するための手段】
【０００５】
実施形態の簡易バッグは、平面状に構成された風呂敷と、前記風呂敷の一部を収縮させて袋状に変形させることが可能な収縮機構と、を備える。前記収縮機構は、前記風呂敷とは別部材で構成された紐材と、前記風呂敷に設けられて前記紐材の端部を前記風呂敷に固定する固定部と、前記風呂敷に設けられて前記紐材が通される挿通部と、を有する。
【図面の簡単な説明】
【０００６】
【図１】一実施形態による簡易バッグの一例について、内側面から見た基本状態の風呂敷を部分的に破断して示す図
【図２】一実施形態による簡易バッグの一例について、外側面から見た基本状態の風呂敷を示す図
【図３】一実施形態の簡易バッグについて、第２挿通部の一例を拡大して示す図
【図４】一実施形態の簡易バッグについて、一方の収縮機構を操作した状態を示す図
【図５】一実施形態の簡易バッグについて、両方の収縮機構を操作した状態を示す図
【図６】一実施形態について、簡易バッグの使用状態の一例を示す図
【図７】一実施形態について、簡易バッグをキャリーケースのハンドルに取り付けた状態を示す図
【図８】一実施形態について、ワインボトルを包む際の手順を示す図（その１）
【図９】一実施形態について、ワインボトルを包む際の手順を示す図（その２）
【図１０】一実施形態について、ワインボトルを包む際の手順を示す図（その３）
【図１１】一実施形態について、ワインボトルを包んだ状態の簡易バッグを示す図
【図１２】一実施形態について、トートバッグの作成手順を示す図（その１）
【図１３】一実施形態について、トートバッグの作成手順を示す図（その２）
【図１４】一実施形態について、トートバッグの作成手順を示す図（その３）
【発明を実施するための形態】
【０００７】
一実施形態による簡易バッグについて、図面を参照して説明する。
図１及び図２に示すように、簡易バッグ１０は、風呂敷１１を主体に構成されている。風呂敷１１は、２枚の布材１１１、１１２を重ねて配置し、２枚の布材１１１、１１２の周囲を縫い合わせることで、全体として１枚の布状に構成されている。本実施形態では、２枚の布材１１１、１１２の間の空間を、風呂敷１１の内部と称する。簡易バッグ１０は、使用されていない基本状態においては、図１及び図２に示すように平面状である。また、簡易バッグ１０は、図６に示すように袋状に変形可能である。
【０００８】
２枚の布材１１１、１１２のうち、布材１１１は袋状の内側つまり対象物側に設けられており、布材１１２は袋状の外側つまり対象物側と反対側に設けられている。この場合、内側の布材１１１を、内側布材１１１と称し、外側の布材１１２を、外側布材１１２と称する。また、内側布材１１１が露出している側の面を、簡易バッグ１０の内側面と称し、外側布材１１２が露出している側の面を、簡易バッグ１０の外側面と称する。
【０００９】
本実施形態において、風呂敷１１は、図１及び図２に示すように、正方形である。この場合、風呂敷１１の中心を中心Ｏとする。そして、風呂敷１１の平面に沿って第１中心線Ａ１と第２中心線Ａ２とが設定されている。第１中心線Ａ１は風呂敷１１の１つの対角線であり、第２中心線Ａ２は、第１中心線Ａ１とは異なるもう１つの対角線、つまり第１中心線Ａ１に対して直角でありかつ中心Ｏを通る線である。なお、風呂敷１１は、正方形に限られず、例えば長方形や六角形、八角形、円形、楕円形等であっても良い。
【００１０】
簡易バッグ１０は、２つの持ち手部１２を有している。各持ち手部１２は、正方形の風呂敷１１の４つの頂点のうち、対向する２つの頂点付近に設けられている。すなわち、持ち手部１２は、第１中心線Ａ１上であって、第２中心線Ａ２に対して対称形に配置されている。持ち手部１２は、風呂敷１１を貫いて、つまり２枚の布材１１１、１１２を貫いて形成されている。本実施形態の場合、持ち手部１２は、例えば第１中心線Ａ１に沿って長く伸びるように変形した楕円状、すなわち第１中心線Ａ１に沿って長く伸びるように変形した卵型に形成されている。
【００１１】
簡易バッグ１０は、２つの収縮機構２０を備えている。２つの収縮機構２０は、第１中心線Ａ１に対して対称形に配置されている。各収縮機構２０は、それぞれ１本の紐材２１と、２つの固定部２２と、１つの第１挿通部２３と、２つの第２挿通部２４と、１つのコードストッパー２５と、を有している。
【００１２】
紐材２１は、例えば断面が円形状の紐であり、風呂敷１１とは別体に構成されている。本実施形態の場合、紐材２１の長さ寸法は、風呂敷１１の正方形の一辺の長さ寸法Ｌよりも長く設定されている。簡易バッグ１０が基本状態つまり平面状態となっている場合、紐材２１の大部分は、内側布材１１１と外側布材１１２との間つまり風呂敷１１の内部に収容されている。
【００１３】
各収縮機構２０において、２つの固定部２２は、それぞれ風呂敷１１の内部に設けられている。この場合、固定部２２は、内側布材１１１又は外側布材１１２のいずれか一方又は両方に縫い付けられている。本実施形態の場合、固定部２２は、内側布材１１１と外側布材１１２との間に挟まれた状態で、内側布材１１１と外側布材１１２とが相互に縫い合わされることにより、内側布材１１１と外側布材１１２との両方に縫い付けられている。紐材２１の両端部は、それぞれ２つの固定部２２に固定されている。これにより、紐材２１の両端部は、それぞれ風呂敷１１に固定されている。
【００１４】
各収縮機構２０において、２つの固定部２２は、第２中心線Ａ２に対して対称形に設けられている。本実施形態の場合、各収縮機構２０における２つの固定部２２は、正方形の風呂敷１１おいて隣接する２辺部のそれぞれに１つずつ設けられている。ここで、その２辺部の頂点Ｐつまり第２中心線Ａ２が通る頂点Ｐを基準とすると、頂点Ｐから各固定部２２までの直線寸法Ｌ１は、下記の式（１）を満たすように設定されている。
Ｌ／２≦Ｌ１≦（３×Ｌ）／４・・・（１）
【００１５】
第１挿通部２３は、内側布材１１１に設けられている。本実施形態の場合、第１挿通部２３は、内側布材１１１に形成された楕円状の穴である。紐材２１の中央部分は、第１挿通部２３に通されている。これにより、紐材２１の中央部分は、風呂敷１１の内部から風呂敷１１の外部へ引き出されている。第１挿通部２３は、第２中心線Ａ２上に配置されている。この場合、中心Ｏから第１挿通部２３までの直線寸法Ｌ２は、下記の式（２）を満たすように設定されている。
（Ｌ×√２）／４≦Ｌ２≦（Ｌ×√２）／２・・・（２）
【００１６】
各収縮機構２０において、２つの第２挿通部２４は、それぞれ風呂敷１１の内部に設けられている。この場合、第２挿通部２４は、内側布材１１１又は外側布材１１２のいずれか一方に縫い付けられている。第２挿通部２４は、例えば図３に示すように、長尺で平坦な布等の両端部を内側布材１１１又は外側布材１１２のいずれか一方に縫い付けることで、環状に形成されている。紐材２１は、第２挿通部２４の環状の内側に通されている。
【００１７】
各収縮機構２０において、２つの第２挿通部２４は、第２中心線Ａ２に対して対称形に設けられている。本実施形態の場合、２つの固定部２２は、正方形の風呂敷１１において隣接する２辺部のそれぞれに１つずつ設けられている。この場合、頂点Ｐから各第２挿通部２４までの直線寸法Ｌ３は、下記の式（３）を満たすように設定されている。
Ｌ／４≦Ｌ３≦Ｌ／２・・・（３）
なお、Ｌ１及びＬ３の設定によって固定部２２と第２挿通部２４とが重なる位置になる場合には、固定部２２が優先されるため、第２挿通部２４は不要となる。
【００１８】
コードストッパー２５は、紐材２１の中央部分に設けられている。コードストッパー２５は、一般に販売されている汎用部品であり、紐材２１の引き出し長さＷを調整することができる。すなわち、コードストッパー２５の操作部２５１が操作されていない状態では、コードストッパー２５はロックされているため、紐材２１の引き出し長さＷは固定されている。一方、ユーザが操作部２５１を押圧操作すると、コードストッパー２５のロックが解除されて、紐材２１に沿ってコードストッパー２５が移動可能になる。これにより、ユーザは、紐材２１の引き出し長さＷを調整することができる。
【００１９】
また、簡易バッグ１０は、複数この場合３個のフック部３１〜３３と、複数この場合２個の内ボタン４１、４２と、複数この場合６個の外ボタン５１〜５６と、を備えている。フック部３１〜３３は、それぞれ係止部として機能する。内ボタン４１、４２、及び外ボタン５１〜５６は、それぞれフック部３１〜３３に係止可能な被係止部として機能する。なお、係止部と被係止部とは、フック部及びボタンに限られず、例えば面ファスナーであってもよい。
【００２０】
本実施形態では、３個のフック部３１〜３３を、それぞれ第１フック部３１、第２フック部３２、及び第３フック部３３と称する。また、２個の内ボタン４１、４２を、それぞれ第１内ボタン４１及び第２内ボタン４２と称する。また、６個の外ボタン５１〜５６を、それぞれ第１外ボタン６１、第２外ボタン６２、第３外ボタン６３、第４外ボタン６４、第５外ボタン６５、及び第６外ボタン６６と称する。
【００２１】
各フック部３１〜３３は、簡易バッグ１０の内側面に設けられている。各フック部３１〜３３は、例えば紐状の部材の両端部を内側布材１１１に固定して環状に形成したものである。第１フック部３１及び第２フック部３２は、第１中心線Ａ１に対して対称形に配置されており、それぞれ第２中心線Ａ２上において風呂敷１１の頂点付近に設けられている。この場合、各第１挿通部２３は、各フック部３１、３２と中心Ｏとの間に位置している。第３フック部３３は、第１中心線Ａ１上に配置され、第２中心線Ａ２に対して一方側に設けられている。第３フック部３３は、持ち手部１２の楕円形状の付け根部分すなわち持ち手部１２と中心Ｏとの間に設けられている。
【００２２】
各内ボタン４１、４２は、簡易バッグ１０の内側面に設けられている。各内ボタン４１、４２は、例えば円形のボタンであって、各フック部３１〜３３の環状の内側に通すことが可能である。各内ボタン４１、４２は、各フック部３１〜３３のいずれか１つの内側に通されることで、各フック部３１〜３３に係止される。
【００２３】
本実施形態の場合、第１内ボタン４１は、第１中心線Ａ１に対して一方側に設けられている。この場合、第１内ボタン４１は、第２中心線Ａ２上であって第１フック部３１の近傍、すなわち、第１フック部３１と第１挿通部２３との間に設けられている。第２内ボタン４２は、第２中心線Ａ２に対して第３フック部３３とは反対側に設けられている。第２内ボタン４２は、持ち手部１２の楕円形状の付け根部分すなわち持ち手部１２と中心Ｏとの間に設けられている。この場合、第２内ボタン４２と第３フック部３３とは、第２中心線Ａ２に対して対称の位置に配置されている。
【００２４】
各外ボタン５１〜５６は、図２に示すように、簡易バッグ１０の外側面に設けられている。各外ボタン５１〜５６も、内ボタン４１、４２と同様に、例えば円形のボタンであって、各フック部３１〜３３の環状の内側に通すことが可能である。各外ボタン５１〜５６も、各フック部３１〜３３のいずれか１つの内側に通されることで、各フック部３１〜３３に係止される。
【００２５】
各外ボタン５１〜５６は、例えばそれぞれ中心Ｏを中心とする半径Ｒの円周上に配置されている。この場合、半径Ｒは、Ｌ／２以上に設定されている。本実施形態の場合、第１外ボタン５１、第２外ボタン５２、及び第３外ボタン５３は、それぞれ第１中心線Ａ１に対して一方側に配置されている。第１外ボタン５１は、第２中心線Ａ２上に配置されている。また、第２外ボタン５２及び第３外ボタン５３は、第２中心線Ａ２に対して対称に配置されている。この場合、第１外ボタン５１の取り付け位置と中心Ｏと第２外ボタン５２の取り付け位置との成す角、及び第１外ボタン５１の取り付け位置と中心Ｏと第３外ボタン５３の取り付け位置との成す角は、それぞれ４０°程度である。
【００２６】
また、第４外ボタン５４、第５外ボタン５５、及び第６外ボタン５６は、第１中心線Ａ１に対して他方側つまり第１外ボタン５１、第２外ボタン５２、及び第３外ボタン５３とは反対側に配置されている。この場合、第４外ボタン５４、第５外ボタン５５、及び第６外ボタン５６は、それぞれ第１中心線Ａ１に対して第１外ボタン５１、第２外ボタン５２、及び第３外ボタン５３の対称となる位置に配置されている。
【００２７】
ユーザは、次のようにして、風呂敷状つまり平面状となっている基本形態の簡易バッグ１０を袋状に変形させることができる。すなわち、ユーザは、まず、図４に示すように、一方の収縮機構２０について、コードストッパー２５の操作部２５１を押圧操作しながら紐材２１の中心部分を引っ張る。すると、紐材２１の引き出し長さＷが増大し、これにより紐材２１の端部に固定された固定部２２が各挿通部２３、２４に引き寄せられて、固定部２２と各挿通部２３、２４との距離が縮まる。その結果、収縮機構２０部分の風呂敷１１が収縮する。次に、ユーザは、図５に示すように、もう一方の収縮機構２０についても同様の操作を行う。その結果、図６に示すように、風呂敷１１の正方形の四辺部が収縮して袋状に変形する。
【００２８】
この場合、図５の状態から、持ち手部１２が設けられていない風呂敷１１の角部、つまり第１フック部３１及び第２フック部３２が設けられている角部を、風呂敷１１の内側つまり中心Ｏ側へ折りたたむことで、ユーザは、簡易バッグ１０を、いわゆるミニバッグとして使用することができる。また、予め風呂敷１１の中央部に対象物を配置し、その後、上述した図４及び図５の動作を行うことで、ユーザは、簡易バッグ１０を、いわゆる肩掛けバッグとして使用することができる。
【００２９】
ここで、風呂敷１１の各角部付近つまり各頂点付近には収縮機構２０が設けられていないため、簡易バッグ１０の各角部付近は収縮し難い。そして、持ち手部１２は、風呂敷１１の角部付近に設けられている。したがって、収縮機構２０を操作して簡易バッグ１０を袋状に変形させても、持ち手部１２の周辺は平面状に維持され易い。すなわち、収縮機構２０の操作によっても持ち手部１２付近は収縮し難いため、持ち手部１２の開口が基本状態のまま大きく維持される。そのため、図６に示すように、ユーザが簡易バッグ１０を使用する際に、持ち手部１２が持ち易くなる。
【００３０】
また、本実施形態の簡易バッグ１０は、各フック部３１〜３３と、各ボタン４１、４２、５１〜５６との組合せを工夫することで、多様な形態で使用することができる。例えば図７に示すように、袋状に変形させた状態でキャリーケース９０のハンドル９１に取り付けることができる。この場合、ユーザは、簡易バッグ１０を袋状に変形させた後、例えば第１フック部３１をハンドル９１の内側に通して、第１外側ボタン５１に引っ掛けるとともに、第２フック部３２をハンドル９１の内側に通して、第４外ボタン５４に引っ掛ける。
【００３１】
また、本実施形態の簡易バッグ１０は、風呂敷としても使用することができる。更に、図８〜図１１に示すように、例えば２本のワインボトル９２を包む場合、ユーザは、図８に示すように、２本のワインボトル９２の底部を中心Ｏ側に向けた状態で、第１中心線Ａ１上に配置する。次に、ユーザは、図９及び図１０に示すように、２本のワインボトル９２の周囲を簡易バッグ１０で包んで全体として１本の棒状にする。そして、ユーザは、図１１に示すように、１本の棒状となった簡易バッグ１０を、その中心部から折り曲げる。これにより、２本のワインボトル９２が簡易バッグ１０内に収容される。この場合、ユーザは、持ち手部１２を持つことで、２本のワインボトル９２が収容された簡易バッグ１０を持ち運ぶことができる。
【００３２】
また、本実施形態の簡易バッグ１０は、いわゆるトートバッグとしても使用することができる。すなわち、ユーザは、風呂敷１１をトートバッグに変形させる際、まず、図２に示す状態から図１２に示す状態になるように、風呂敷１１を第２中心線Ａ２に沿って内側へ向けて三角形になるように折り畳む。その際、２つの持ち手部１２を相互に重ね合わせるように配置する。
【００３３】
次に、ユーザは、第１フック部３１と第２フック部３２とのいずれか一方を他方側のフック部へ向かうようにして折り畳む。例えばユーザは、図１３に示すように、第２フック部３２と第４外ボタン５４との間で折り畳み、第２フック部３２を第４外ボタン５４に引掛ける。そして、ユーザは、図１４に示すように、第１フック部３１と第１外ボタン５１との間で折り畳み、第１フック部３１を第１外ボタン５１に引掛ける。このようにして、ユーザは、風呂敷１１をトートバッグに変形させることができる。
【００３４】
以上の実施形態によれば、簡易バッグ１０は、平面状に構成された風呂敷１１と、風呂敷１１の一部を収縮させて袋状態に変形させることが可能な収縮機構２０と、を備える。収縮機構２０は、風呂敷１１とは別部材で構成された紐材２１と、風呂敷１１に設けられて紐材２１の端部を風呂敷１１に固定する固定部２２と、風呂敷１１に設けられて紐材２１が通される挿通部２３、２４と、を有する。この構成によれば、風呂敷１１は、紐材２１が引っ張られると、挿通部２３、２４と固定部２２との距離が縮まって平面状の風呂敷１１の一部が収縮して袋状に変形する。
【００３５】
これによれば、ユーザは、紐材２１を引っ張ることで、平面形状の風呂敷１１を収縮させて袋状に変形させることができる。この場合、例えばユーザは、風呂敷１１を袋状に変形させた後に、その袋状の内側に対象物を収納することができる。これによれば、ユーザは、風呂敷１１を簡易的なミニバッグとして使用することができる。また、ユーザは、簡易バッグ１０を使用しない場合には、従来の風呂敷と同様に畳むことができる。その結果、従来の風呂敷と同様の携帯性が得られる。
【００３６】
更に、例えばユーザは、平面形状の風呂敷１１上に対象物を配置した後に紐材２１を引っ張ることで、平面形状の風呂敷１１を袋状に変形させてもよい。これによれば、風呂敷１１は、対象物の大きさや形状に合わせて自在に変形しながら収縮して対象物を包むことができる。そのため、ユーザは、様々な大きさや形状の対象物を容易に包むことができる。この場合、ユーザは、風呂敷１１を簡易的な肩掛けバッグとして使用することができる。このように、本実施形態の簡易バッグ１０によれば、ユーザは、紐材２１を引っ張ることで風呂敷１１を容易に袋状に変形させることができる。その結果、ユーザは、従来の風呂敷に比べて技術の習熟を必要とせずに、風呂敷の利便性を容易に得ることができる。
【００３７】
収縮機構２０は、風呂敷１１の平面に沿って設定された第１中心線Ａ１に対して対称形になるように２つ設けられている。これによれば、風呂敷１１に対して２つの収縮機構２０が対象形に配置されているため、風呂敷１１を袋状にした場合に、全体としてのバランスが良く、また、意匠性の向上が図られる。
【００３８】
収縮機構２０は、第１中心線Ａ１に対して直角方向に延びる第２中心線Ａ２上に設けられた１つの第１挿通部２３と、第２中心線Ａ２に対して対称の位置に設けられた２つの第２挿通部２４と、を有している。また、固定部２２は、第２中心線Ａ２に対して対称の位置に２つ設けられている。これによれば、収縮機構２０は、第２中心線Ａ２に対して対称形となっている。したがって、風呂敷１１を袋状にした場合に、全体としてのバランスが更に向上され、また、意匠性の更なる向上を図ることもできる。
【００３９】
紐材２１の両端部は２つの固定部２２にそれぞれ固定されているとともに、紐材２１の中心部は第１挿通部２３から引き出されてコードストッパー２５に通されている。これによれば、ユーザは、コードストッパー２５によって紐材２１の引き出し長さＷを容易かつ精密に調整することができる。その結果、収縮機構２０の操作が簡単になる。
【００４０】
簡易バッグ１０は、風呂敷１１に設けられ第１中心線Ａ１に対して対称に配置された２つの持ち手部１２を更に備えている。これによれば、風呂敷１１を袋状にして簡易バッグ１０として使用する際に、ユーザは、持ち手部１２を持つことができる。したがって、ユーザの利便性の向上を図ることができる。
【００４１】
持ち手部１２は、風呂敷１１を貫いて形成されている。これによれば、持ち手部１２のために新たな部品を用いることなく、風呂敷１１に持ち手部１２を設けることができる。したがって、持ち手部１２を設けることによる部品点数の増加を防ぐことができ、ひいては簡易バッグ１０の製造コストの低減を図ることができる。
【００４２】
風呂敷１１は正方形である。これによれば、風呂敷１１が正方形であることから、ユーザは、風呂敷１１を、従来の風呂敷としても違和感無く使用することができる。また、固定部２２及び第２挿通部２４は、風呂敷１１の辺部に設けられている。これによれば、ユーザが紐材２１を引っ張ると、正方形の風呂敷１１の外周辺部が収縮して袋状になる。そのため、簡易バッグ１０の内容積を極力大きく確保することができる。
【００４３】
風呂敷１１は、内側布材１１１と外側布材１１２との２枚の布材を重ねて構成されている。固定部２２と第２挿通部２４とは、風呂敷１１の内部に設けられている。紐材２１は、第１挿通部２３に通されて風呂敷１１の内部から外部へ引き出されている。これによれば、収容機構２０を、風呂敷１１の内部つまり内側布材１１１と外側布材１１２との間に隠すことができる。したがって、ユーザに対して、収容機構２０が目立つことがないため、意匠性の向上を図ることができる。
【００４４】
簡易バッグ１０は、風呂敷１１の内面側に設けられた少なくとも１つの係止部、この場合３個のフック部３１〜３３を備えている。また、簡易バッグ１０は、風呂敷１１の外面側に設けられて、フック部３１〜３３を係止可能な複数の被係止部、この場合８個のボタン４１、４２、５１〜５６と、を更に備えている。これによれば、ユーザは、フック部３１〜３３と、ボタン４１、４２、５１〜５６との組み合わせを工夫することで、簡易バッグ１０を、例えば図１４に示すトートバッグ等の様々な形態に変形させることができる。これにより、ユーザの利便性を更に向上さえることができる。
【００４５】
なお、本発明は、上記実施形態に限定されるものではなく、その要旨を逸脱しない範囲で種々の実施形態に適用可能である。
例えば風呂敷１１を１枚の布材で構成し、収縮機構２０を露出させる形態でもよい。
第２挿通部２４を、風呂敷１１の各辺部に対して２つ以上設けてもよい。
第２挿通部２４は、例えば風呂敷１１の辺部に沿った細長い筒状に形成してもよい。
各フック部３１〜３３、及び各ボタン４１、４２、５１〜５６の形状や配置は、適宜変更することができる。
【符号の説明】
【００４６】
図面中、１０は簡易バッグ、１１は風呂敷、１１１は内側布材、１１２は外側布材、１２は持ち手部、２０は収縮機構、２１は紐材、２２は固定部、２３は第１挿通部（挿通部）、２４は第２挿通部（挿通部）、２５はコードストッパー、３１は第１フック部（係止部）、３２は第２フック部（係止部）、３３は第３フック部（係止部）、４１は第１内ボタン（被係止部）、４２は第２内ボタン（被係止部）、５１は第１外ボタン（被係止部）、５２は第２外ボタン（被係止部）、５３は第３外ボタン（被係止部）、５４は第４外ボタン（被係止部）、５５は第５外ボタン（被係止部）、５６は第６外ボタン（被係止部）を示す。
【図１】
2017051257.tif 000003
【図２】
2017051257.tif 000004
【図３】
2017051257.tif 000005
【図４】
2017051257.tif 000006
【図５】
2017051257.tif 000007
【図６】
2017051257.tif 000008
【図７】
2017051257.tif 000009
【図８】
2017051257.tif 000010
【図９】
2017051257.tif 000011
【図１０】
2017051257.tif 000012
【図１１】
2017051257.tif 000013
【図１２】
2017051257.tif 000014
【図１３】
2017051257.tif 000015
【図１４】
2017051257.tif 000016
【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
平面状の正方形に構成された風呂敷と、
前記風呂敷を貫いて形成され前記風呂敷の４つの頂点のうち対向する２つの頂点付近に設けられた２つの持ち手部と、
前記風呂敷の一部を収縮させて袋状に変形させることが可能であって、前記風呂敷の各頂点付近を除いた位置にあって、前記風呂敷の４つの頂点のうち前記持ち手部が設けられた方の２つの頂点を通る第１中心線に対して対称形となるように前記第１中心線の両側に配置された２つの収縮機構と、を備え、
２つの前記収縮機構は、それぞれ、
前記風呂敷とは別部材で構成された紐材と、
前記風呂敷の４つの頂点のうち前記持ち手部が設けられていない方の２つの頂点を通る第２中心線に対して対称の位置にあって前記風呂敷の隣接する２辺部にそれぞれ１つずつ設けられて前記紐材の両端部を前記風呂敷に固定する２つの固定部と、
前記第２中心線上に設けられて前記紐材が通される１つの第１挿通部と、
前記風呂敷の隣接する２辺部にそれぞれ１つずつ設けられて前記紐材が通される２つの第２挿通部であって前記第２中心線に対して対称の位置に設けられた２つの第２挿通部と、を有している、
簡易バック。
【請求項２】
前記風呂敷の一辺の長さ寸法Ｌと、前記第２中心線が通る前記風呂敷の頂点から各前記固定部までの直線寸法Ｌ１と、前記風呂敷の中心から前記第１挿通部までの直線寸法Ｌ２と、前記第２中心線が通る前記風呂敷の頂点から前記第２挿通部までの直線寸法Ｌ３と、の関係は、
Ｌ／２≦Ｌ１≦（３×Ｌ）／４・・・（１）と、
（Ｌ×√２）／４≦Ｌ２≦（Ｌ×√２）／２・・・（２）と、
Ｌ／４≦Ｌ３≦Ｌ／２・・・（３）と、
を満たしている、
請求項１に記載の簡易バッグ。
【請求項３】
前記風呂敷の内面側に設けられた複数の係止部と、
前記風呂敷の内面側に設けられて前記係止部を係止可能な複数の被係止部と、を更に備え、
前記係止部は、少なくとも、
前記風呂敷の４つの頂点のうち前記持ち手部が設けられていない２つの頂点付近と、
２つの前記持ち手部のうち一方の前記持ち手部の付け根部分と、に設けられ、
前記被係止部は、少なくとも、
前記持ち手部が設けられていない前記風呂敷の２つの頂点付近のうち一方の頂点付近と、
２つの前記持ち手部のうち前記係止部が設けられていない他方の前記持ち手部の付け根部分と、に設けられている、
請求項１又は２に記載の簡易バッグ。
【請求項４】
前記風呂敷の外面側にあって前記風呂敷の中心を中心とする円周上に設けられた複数の被係止部を更に備えている、
請求項３に記載の簡易バッグ。
【手続補正２】
【補正対象書類名】明細書
【補正対象項目名】０００５
【補正方法】変更
【補正の内容】
【０００５】
実施形態の簡易バッグは、平面状の正方形に構成された風呂敷と、前記風呂敷を貫いて形成され前記風呂敷の４つの頂点のうち対向する２つの頂点付近に設けられた２つの持ち手部と、前記風呂敷の一部を収縮させて袋状に変形させることが可能であって、前記風呂敷の各頂点付近を除いた位置にあって、前記風呂敷の４つの頂点のうち前記持ち手部が設けられた方の２つの頂点を通る第１中心線に対して対称形となるように前記第１中心線の両側に配置された２つの収縮機構と、を備える。２つの前記収縮機構は、それぞれ、
前記風呂敷とは別部材で構成された紐材と、前記風呂敷の４つの頂点のうち前記持ち手部が設けられていない方の２つの頂点を通る第２中心線に対して対称の位置にあって前記風呂敷の隣接する２辺部にそれぞれ１つずつ設けられて前記紐材の両端部を前記風呂敷に固定する２つの固定部と、前記第２中心線上に設けられて前記紐材が通される１つの第１挿通部と、前記風呂敷の隣接する２辺部にそれぞれ１つずつ設けられて前記紐材が通される２つの第２挿通部であって前記第２中心線に対して対称の位置に設けられた２つの第２挿通部と、を有している。